(57)【特許請求の範囲】
【請求項１】
送風用のファンと、
前記ファンの下流側に設けられて互いに仕切られた第一送風路及び第二送風路を有する送風路と、
前記第一送風路の送風を加温するためのヒータと、
前記第二送風路の送風によって搬送されるイオンを発生させるイオン発生装置と、を備え、
前記ヒータの下流側において、前記第一送風路と前記第二送風路が合流する合流部が設けられ、
前記合流部の側方に前記イオン発生装置が設置され、
前記第二送風路の延長上に前記イオン発生装置のイオン電極が配設され、
前記合流部において、発生したイオンは前記第二送風路の送風によって前記第一送風路からの送風と合流させるようにしたことを特徴とする衛生装置。
【請求項２】
前記第一送風路と第二送風路との間の前記第一送風路に面する仕切り壁は送風の下流側に向けて前記第一送風路側に偏っている請求項１に記載された衛生装置。
【請求項３】
前記第二送風路は、上流側で狭く下流側で広くなる末広がりの形状に形成されている請求項１または２に記載された衛生装置。
【請求項４】
前記第一送風路と第二送風路の送風が合流した前記送風路の吹出し口において、送風は前記吹出し口近傍に設けた上部ガイド部と前記吹出し口に設けた下部ガイドとによって上向きに吹き出すように形成した請求項１から３のいずれか１項に記載された衛生装置。
【請求項５】
前記第一送風路の下流側の前記送風路に送風の温度を測定する温度測定器が設置され、該温度測定器は前記イオン発生装置に対して前記送風路の幅方向中心よりも離れた位置に設置されている請求項１から４のいずれか１項に記載された衛生装置。
【請求項６】
前記送風路を覆うと共に前記イオン発生装置のイオン発生部により高圧放電で発生させるイオンを前記送風路の吹出し口から吹き出させるダクトケースを備えており、
前記イオン発生装置の前記イオン発生部と前記吹出し口との直線的な距離が所定距離に設定されていると共に、前記イオン発生部と前記吹出し口との間の前記ダクトケースの壁面に沿った通電可能な距離が通電を迂回させる迂回路を経由することで前記所定距離より長い距離に設定されている請求項１から５のいずれか１項に記載された衛生装置。
【請求項７】
便器本体と、
前記イオン発生装置を覆うカバーとを備えており、
前記イオン発生装置は前記カバーの便器本体に対面する前側カバー部に隣接して内側に設定されている請求項１から６のいずれか１項に記載された衛生装置。
【発明の詳細な説明】
【技術分野】
【０００１】
本発明は、空気中にイオンを放出させるイオン発生装置付き温風機を便器本体に備えた衛生装置に関する。
【背景技術】
【０００２】
従来、水洗式便器に用いる衛生装置には温水で洗浄した後の局部を温風で乾燥させるための温風機が設置されたものがある。近年では、除菌や脱臭等のためにイオンを発生させるイオン発生装置を温風機に付加して送風するようにしたイオン発生装置付き温風機が提案されている。
【０００３】
例えば特許文献１に記載された衛生洗浄装置では、便器本体に設置する機能部の一部として送風用ファンの開口近傍に空気を加熱するヒータとイオンを発生する静電霧化装置とを上下に積層し、更にその前方に吹出し口を設置している。そして、吹出し口にシャッターを設けてヒータ駆動時にはシャッターを全開させ、静電霧化装置の駆動時にはシャッターを半開させるようにしている。
【先行技術文献】
【特許文献】
【０００４】
【特許文献１】特開２０１５−１５８１０３号公報
【発明の概要】
【発明が解決しようとする課題】
【０００５】
しかしながら、上述した特許文献１に記載の衛生洗浄装置では、ヒータと静電霧化装置が全体に並列に設置されているため、ヒータの熱で静電霧化装置が悪影響を受けるおそれがあった。また、ヒータと静電霧化装置がファンの送風方向に直交する方向に並列に配置されているため、風量が分散されてしまう。しかも、ファンの近傍に静電霧化装置を設けたために吹出し口までの距離が長くなり、発生したイオンが吹出し口から放出される前に消滅してしまうことがあり、吹出し口から放出されるイオンの量が少ないという欠点があった。
【０００６】
本発明は、このような課題に鑑みてなされたものであって、イオン発生装置がヒータの熱影響を受けることを抑制して多くのイオンを吹出し口から外部に放出できるようにした衛生装置を提供することを目的とする。
【課題を解決するための手段】
【０００７】
本発明による衛生装置は、送風用のファンと、ファンの下流側に設けられて互いに仕切られた第一送風路及び第二送風路を有する送風路と、第一送風路の送風を加温するためのヒータと、第二送風路の送風によって搬送されるイオンを発生させるイオン発生装置と、を備え、前記ヒータの下流側において、前記第一送風路と前記第二送風路が合流する合流部が設けられ、前記合流部の側方に前記イオン発生装置が設置され、前記第二送風路の延長上に前記イオン発生装置のイオン電極が配設され、前記合流部において、発生したイオンは第二送風路の送風によって第一送風路からの送風と合流させるようにしたことを特徴とする。
本発明によれば、イオン発生装置をヒータの下流側に設置したため、ヒータの熱影響を受けることなくイオンを発生できる上に、イオン発生装置が吹出し口に近いために第一送風路からの送風と合流させて効率的にイオンを外部に放出させることができる。
【０００８】
また、第一送風路と第二送風路との間の第一送風路に面する仕切り壁は送風の下流側に向けて第一送風路側に偏っていることが好ましい。
第二送風路の仕切り壁が下流側で第一送風路側に偏っているために第一送風路の温風はイオン発生装置に当たりにくく、安定してイオンを発生させることができる。
【０００９】
また、第二送風路は、上流側で狭く下流側で広くなる末広がりの形状に形成されていることが好ましい。
第二送風路を第一送風路側に偏らせることでイオンを第一送風路からの送風と合流させることができる。
【００１０】
また、第一送風路と第二送風路の送風が合流した送風路の吹出し口において、送風は吹出し口近傍に設けた上部ガイド部と吹出し口に設けた仕切部とによって上向きに吹き出すように形成してもよい。
イオンを含む送風を吹出し口から上向きに吹き出させることで使用者の局部に向けて放出させることができる。
【００１１】
また、第一送風路の下流側の送風路に送風の温度を測定する温度測定器が設置され、該温度測定器はイオン発生装置に対して送風路の幅方向中心よりも離れた位置に設置されていてもよい。
温度測定器はイオン発生装置とヒータから離れているためにイオン発生のための高電圧放電やヒータの高温の影響を低減できる。
【００１２】
また、送風路を覆うと共にイオン発生装置のイオン発生部により高圧放電で発生させるイオンを送風路の吹出し口から吹き出させるダクトケースを備えており、イオン発生装置のイオン発生部と吹出し口との直線的な距離が所定距離に設定されていると共に、イオン発生部と吹出し口との間のダクトケースの壁面に沿った通電可能な距離が通電を迂回する迂回部を経由することで所定距離より長い距離に設定されていることが好ましい。
本発明によれば、高圧放電するイオン発生部から吹出し口までのダクトケースの壁面に沿った迂回路を経由した経路を所定距離より長く設定することで吹出し口に接触する使用者への通電を阻止して安全性を担保すると共に、イオン発生部と吹出し口との直線的な距離を所定距離に設定することで衛生装置を小型化できる上に、イオン発生装置を吹出し口に近づけることでより多くのイオンを放出することができる。
【００１３】
また、便器本体と、イオン発生装置を覆うカバーとを備えており、イオン発生装置はカバーの便器本体に対面する前側カバー部に隣接して内側に設置されていることが好ましい。
本発明によれば、イオン発生装置をカバーの前側カバー部に隣接する内側に設置することで、吹出し口により近接する位置に設置できて生成したイオンを短い流路で効率的に放出できる。
【発明の効果】
【００１４】
本発明による衛生装置によれば、イオン発生装置をヒータの下流側に離れて設置したために、イオン発生装置がヒータの熱影響を受けることを抑制できると共に発生した多くのイオンを効率よく吹出し口から外部に放出できる。
【図面の簡単な説明】
【００１５】
【図１】本発明の実施形態によるイオン発生装置付き送風機を備えた水洗式便器の斜視図である。
【図２】図1に示す機能部のカバーを取り外した状態の要部斜視図である。
【図３】図２に示すイオン発生装置付き送風機の斜視図である。
【図４】図３に示すイオン発生装置付き送風機の上部ダクトケースを取り外した斜視図である。
【図５】図４に示すイオン発生装置付き送風機の平面図である。
【図６】図３に示すイオン発生装置付き送風機の吹出し口側のダクトケースのＡ−Ａ線断面図である。
【図７】脱臭吸引用ダクトとイオン発生装置を覆うカバーの前カバー部分の部分断面図である。
【図８】イオン発生装置のダクトケースにおける上部支持部と下部支持部を示す図である。
【図９】イオン発生装置の下部支持部と下部ダクトケースの吹出し口との壁面に沿った延べ距離を示す要部説明図である。
【図１０】イオン発生装置の上部支持部と上部ダクトケースの吹出し口との壁面に沿った延べ距離を示す要部説明図であり、上部ダクトケースとイオン発生装置を上下反転して示す要部説明図である。
【発明を実施するための形態】
【００１６】
以下、本発明の実施形態による水洗式便器を添付図面によって説明する。
図１乃至図６は本発明の実施形態による水洗式便器１を示すものである。図１に示す実施形態による水洗式便器１は、陶器製の便器本体２の上面に便座３が設置され、その後部に局部洗浄ノズル９や温風機１０等を備えた機能部４を収納したカバー５が設置されている。イオン発生装置１１付き温風機１０を含む機能部４とこれを覆うカバー５とを衛生装置６というものとする。
【００１７】
なお、イオン発生装置１１は、例えばプラズマ放電で生成したイオンにより空気中の浮遊ウイルスの作用を抑えて浮遊カビ菌などを空中で分解・除去する装置や、上述した静電霧化装置等、空中に殺菌や脱臭用のイオンを発生させる各種の装置を含むものである。
【００１８】
図２は便器本体２上に設置されていてカバー５を取り除いた機能部４を示すものである。便器本体２の上部に設置したベースプレート８の上に機能部４が設置され、機能部４の便器本体２のボウル部(便鉢)２ａに対面する前部中央に局部洗浄ノズル９が設置されている。局部洗浄ノズル９に隣接する位置に温風を吹出す温風機１０が設置され、温風機１０にはイオン発生装置１１が装着されている。
温風機１０の隣には脱臭装置１２が設置され、イオン発生装置１１の前側に脱臭装置１２の脱臭吸引用ダクト１２ａが設置されている。ベースプレート８の前端部の下面には局部洗浄ノズル９の先端と温風機１０の吹出し口１８とが設置され、更に隣接する位置に脱臭吸引用ダクト１２ａの吸引口が設置されている。
【００１９】
図３乃至図５はイオン発生装置１１付き温風機１０を示すものである。イオン発生装置１１付き温風機１０は、ファン１５の前方にヒータ１６が設置され、ヒータ１６の前方の側部には外側に突出してイオン発生装置１１が設置されている。ヒータ１６は例えばニクロム線等をコイル状に巻回されて形成されている。
これらファン１５とヒータ１６とイオン発生装置１１とは下部ダクトケース１７ａ内に載置され、この下部ダクトケース１７ａに上部ダクトケース１７ｂを嵌合して形成されたダクトケース１７に覆われて略筒状に形成されている。ダクトケース１７の便器本体２のボウル部２ａに対面する先端部に温風やイオン等を放出する吹出し口１８が形成されている。
【００２０】
図５に示すイオン発生装置１１付きの温風機１０の平面図において、ファン１５の前方にはファン１５による送風路２０がダクトケース１７によって形成されている。この送風路２０の一部には内部にヒータ１６を収納した例えば四角形筒状の送風筒体２１が設置されている。この送風筒体２１はファン１５側の後端開口から吹出し口１８側の前端開口に向けて両側の側面２１ａ、２１ｂと上下の側面とが互いに接近する先細状に形成されている。
送風筒体２１のイオン発生装置１１側の側面２１ａは後端側から前端側に向けて次第にダクトケース１７の左側の側壁１７ｃから離間するように偏って傾斜して形成されている。送風筒体２１はファン１５から送られる送風の多くをヒータ１６で加温させて温風として送風可能な第一送風路２２を形成する。しかも、送風筒体２１は先細状の前端開口を有するために出口側で送風速度が高速になる。第一送風路２２は多量の送風が主流として流れる主流路を形成する。
【００２１】
また、送風路２０において、送風筒体２１の側面２１ａとダクトケース１７の側壁１７ｃとの間の流路は、側面２１ａが平面視で傾斜しているためにダクトケース１７の側壁１７ｃとの間の空間が後端側で狭く前端側で広くなる末広がりのテーパ状に形成されている。この側面２１ａと側壁１７ｃとの間の流路はファン１５から送られる送風の一部を副流として送風可能な第二送風路２３を形成する。第二送風路２３は比較的少量の送風が流れる副流路を形成する。
【００２２】
そのため、ダクトケース１７で形成する送風路２０は第一送風路２２と第二送風路２３とが並列に配設されている。そして、第一送風路２２と第二送風路２３はヒータ１６の前方で合流するが、この合流部２５の外側にはイオン発生装置１１が設置されている。イオン発生装置１１の先端面１１ａは第二送風路２３の側壁１７ｃの略延長上に配設され、先端面１１ａから突出する一対の針状のイオン電極２６はイオン発生部であり、第二送風路２３の延長上に配設されている。
第二送風路２３は側面２１ａによって後端側から先端側に向けて次第に幅広になるため送風は拡散する。しかも、第二送風路２３の延長上にイオン電極２６が設置されているため、イオン電極２６で発生するイオンを副流により合流部２５で拡散させることができる。なお、本実施形態ではイオン電極２６は先端面１１ａの上下に一対取り付けられているが、イオン電極２６の本数は２本に限定されることなく適宜本数を取り付けできる。
【００２３】
また、送風路２０における第一送風路２２及び第二送風路２３の下流側の合流部２５において、ヒータ１６で加温された送風の温度を測定するための温度測定器として例えばサーミスタ２７が上部ダクトケース１７ｂに取り付けられている。サーミスタ２７はヒータ１６の熱影響を受けないように所定距離下流側に離れている。
また、サーミスタ２７の側部にはイオン発生装置１１が設置されており、高圧放電を発するイオン電極２６からもその影響を受けないように所定距離離れている。即ち、サーミスタ２７は合流部２５における送風路２０の幅方向の中央よりもイオン発生装置１１から離れた位置に設置することが好ましい。なお、図３に示す上部ダクトケース１７ｂの上面から突出する筒部２７ａはサーミスタ２７を内部に収納して合流部２５上に垂下させることで保護している。
【００２４】
また、送風筒体２１と吹出し口１８との間でダクトケース１７は例えば下方に傾斜する形状を有している。吹出し口１８の近傍には送風を局部洗浄ノズル９側、即ち便座３に着座した使用者の局部側に向けてガイドする例えば曲面板状または平板状等のガイド部２８が形成されている。これによって、ヒータ１６で加温された温風とイオン発生装置１１で発生したイオンが局部の周辺に吹き付けられる。
【００２５】
また、図６に示すダクトケース１７の吹出し口１８の近傍の縦断面図において、上部ダクトケース１７ｂの上面には下方に向けて上部ガイド板２９が垂下され、吹出し口１８にはその下部を覆う下部ガイド１８ａが突出して形成されている。そのため、合流部２５から吹出し口１８に向かう送風は上部ガイド板２９によって下方及び下部ガイド１８ａに送られ、その下流側で吹出し口１８の下部ガイド１８ａによって上向きに規制されて吹出し口１８から放出される。
なお、吹出し口１８には開閉可能なシャッター３０が設置されているが、シャッター３０は省略してもよい。
【００２６】
また、図１、図２及び図７において、機能部４を覆うカバー５における便器本体２や便座３に対面する前側カバー部５ａの内側には、ベースプレート８の前端に局部洗浄ノズル９やイオン発生装置１１付きの温風機１０が搭載されている。特に図７に示す部分断面図で示すように、前側カバー部５ａはその内面近傍に設けた脱臭装置１２の脱臭吸引用ダクト１２ａとイオン発生装置１１を覆っている。
そのため、イオン発生装置１１を吹出し口１８の近くに設置し且つ機能部４を覆うカバー５の前側カバー部５ａの内側で可能な限り便器本体２のボウル部２ａに近い位置に設置できて発生するイオンの多くを効率的に吹出し口１８から放出できる。
【００２７】
ところで、本実施形態による水洗式便器１において、イオン発生装置１１の上下一対のイオン電極２６はイオン発生のために高電圧放電するため一部の電流がダクトケース１７を伝わって吹出し口１８に伝達する恐れがある。吹出し口１８は使用者や清掃者等が手で触れる可能性があるため、イオン発生装置１１の高電圧放電がダクトケース１７を介して通電する一部の電流が吹出し口１８に伝わって感電等しないように設定する必要がある。
【００２８】
そのため、ＩＥＣ（国際電気標準会議）で設定された規格では、使用者等が感電をすることを防いで安全性を確保するために、イオン電極２６からイオン発生装置１１の支持部を備えたダクトケース１７の壁面等を介して吹出し口１８に至る最短の通電経路が所定距離、例えば１００ｍｍを超える長さであることを規定している。なお、この通電距離は電圧によって変わるため電圧が大きくなれば感電を阻止するための通電経路も長くなる。
一方で、本実施形態では、イオン発生装置１１付き温風機１０を含む衛生装置６からイオンを大量に放出するために、吹出し口１８の近傍に配置するイオン発生装置１１のイオン電極２６と吹出し口１８との直線的な最短距離を上記所定距離以下、例えば１００ｍｍ以下に設定した。この点の改良構造について、図８乃至図１０により説明する。
【００２９】
イオン発生装置１１付き温風機１０はヒータ１６やファン１５やイオン発生装置１１等と共に送風路２０を覆うダクトケース１７として、下部ダクトケース１７ａと上部ダクトケース１７ｂとを嵌合して形成した。そして、図８において、イオン発生装置１１はその下部を下部ダクトケース１７ａ部分の下部支持部３３で支持すると共に上部側面を上部支持部３４で支えている。
イオン発生装置１１のその他の外周面とダクトケース１７との間には１．５ｍｍ以上の隙間を確保している。隙間を１．５ｍｍ以上確保することで、イオン発生装置１１のイオン電極２６から漏出する電流がダクトケース１７に伝達されることを阻止できる。
【００３０】
そして、図９に示す下部ダクトケース１７ａにおいて、イオン発生装置１１の下部に下部ダクトケース１７ａの下部支持部３３が接続されている。下部のイオン電極２６の高圧放電時にイオン電極２６から下部支持部３３を経由して下部ダクトケース１７ａに電流が伝わり下部ダクトケース１７ａの壁面の迂回路３５を経由して吹出し口１８まで流れる電流の下部伝達経路３５Ａが示されている。下部伝達経路３５Ａが下部ダクトケース１７ａの壁面に沿って迂回路３５を経由して複数回屈曲していることで、下部支持部３３から吹出し口１８までの直線距離が例えば１００ｍｍ以下に近接していても下部ダクトケース１７ａの壁面に沿った下部伝達経路３５Ａの距離を１００ｍｍを超える長さに設定できる。
【００３１】
次に、図１０はダクトケース１７の上部ダクトケース１７ｂを上下方向に反転させて示すものであり、イオン発生装置１１のイオン電極２６は上側のものを示している。
この場合においても、上部のイオン電極２６の高圧放電時にイオン電極２６から上部支持部３４を経由して上部ダクトケース１７ｂの壁面を電流が伝わって吹出し口１８まで流れる電流の上部伝達経路３５Ｂを設定した。上部支持部３４から吹出し口１８までの直線距離は例えば１００ｍｍ以下に近接していても上部ダクトケース１７ｂの壁面に沿った上部伝達経路３５Ｂの距離を迂回路３６を介して１００ｍｍを超える長さに設定できる。
そのため、イオン発生装置１１を支持する下部支持部３３と上部支持部３４のいずれにおいても、吹出し口１８で使用者等が通電で感電することを防いで安全性を確保でき、衛生装置６を小型化できる。なお、イオン発生装置１１の支持部は上述した下部支持部３３や上部支持部３４に限定されるものではなく、イオン電極２６と吹出し口１８との間のダクトケース１７の壁面に沿う距離が１００ｍｍを超える長さであれば適宜位置に支持部を採用できる。
【００３２】
本実施形態による衛生装置６は上述した構成を備えており、次にその使用方法を図５及び図６を中心に説明する。
水洗式便器１の使用後にファン１５、ヒータ１６及びイオン発生装置１１を作動させる。ファン１５の駆動により送風量の多くは主流として第一送風路２２の送風筒体２１内に送風され、送風量の残りは副流として第二送風路２３に送風される。第一送風路２２内では送風筒体２１内のヒータ１６を通過することで送風が加温され、送風筒体２１の前端開口は後端開口よりも先細のテーパ状になっているため前端開口から流出する主流の温風流速が上昇する。また、イオン発生装置１１に当たらない。
【００３３】
一方、第二送風路２３を流れる送風は後端側から前端側に向かって拡幅されているので拡散される。第二送風路２３の下流側では、イオン発生装置１１の先端面１１ａに設けた一対のイオン電極２６が高圧放電でイオンを発生させる。このイオンは、第二送風路２３から吐出された拡散する送風によって運ばれるが、第二送風路２３の一方の側面２１ａは下流側に向けて第一送風路２２側に偏って傾斜しているため、拡散する副流によってイオンも拡散されて主流側に送られてダクトケース１７内の合流部２５で温風と合流する。
【００３４】
そして、合流したイオンを含む温風は、ダクトケース１７内のガイド部２８によって局部洗浄ノズル９側にガイドさせられて吹出し口１８に向かう。吹出し口１８の近傍では、図６に示すように、ダクトケース１７内の上部ガイド板２９によって下方に向けられ、吹出し口１８では下部が下部ガイド１８ａで閉鎖されているために上方に向けて流れ方向を変化させられる。
そのため、イオンを含む温風が吹出し口１８から斜め上方に向けて吐出させられる。これによって使用者の洗浄後の局部を加温して乾燥させると共にイオンを送風で分散させつつ放出させて、除菌と脱臭を行うことができる。
なお、送風路２０における第一送風路２２の下流側の合流部２５ではサーミスタ２７によって温風の温度を測定し、測定結果をヒータ１６にフィードバックして温度調整できる。
【００３５】
なお、本実施形態によるイオン発生装置１１付きの温風機１０において、必ずしもヒータ１６を駆動した状態でイオンを吹出し口１８から放出する必要はない。ヒータ１６を駆動しないで、第一送風路２２から常温の送風を主流として送風し、第二送風路２３からの送風によってイオン発生装置で発生したイオンを拡散させて送風路２０の合流部２５で主流に合流させて更にイオンを拡散させて吹出し口１８から放出できる。
【００３６】
上述のように本実施形態による衛生装置６によれば、イオン発生装置１１をヒータ１６の下流側に設置したため、ヒータ１６の熱影響を抑制してイオンを生成することができる。また、イオン発生装置１１は第一送風路２２を外れた下流側に設置したため、温風の熱影響を抑制できる。ヒータ１６を通過した温風は偏った側面２１ａによってイオン発生装置１１に当たらないので、この点でもイオン発生装置１１はヒータ１６や温風の悪影響を受けない。
【００３７】
しかも、第一送風路２２を逆テーパの先細状に形成したため、主流をなす温風の流速を高めて副流で拡散したイオンを合流させて吹出し口１８から効率的に分散して放出できるため、イオンの消滅を防いでその多くを吹出し口１８から放出して殺菌と脱臭を行える。
更に、イオン発生装置１１をヒータ１６の下流側に設置し且つ機能部４を覆うカバー５の前側カバー部５ａの内側で可能な限り便器本体２や吹出し口１８に近い位置に設置できてイオンの消滅を防いでその多くを効率的に放出できる。
【００３８】
また、ヒータ１６を通過した温風の温度を測定するサーミスタ２７をヒータ１６の下流側の合流部２５の幅方向中心に対してイオン発生装置１１から遠い側に設置したため、サーミスタ２７はヒータ１６やイオン発生装置１１の熱影響を受けにくい。
更に、イオン電極２６で高圧放電するイオン発生装置１１が、吹出し口１８との直線的距離を例えば１００ｍｍ以下に設定しながら、イオン電極２６から下部支持部３３及び上部支持部３４を介して吹出し口１８までのダクトケース１７の壁面に沿った下部伝達経路３５Ａ及び上部伝達経路３５Ｂの延べ長さを、迂回路３５，３６を経由して１００ｍｍを超える長さに設定できるため、イオンを多く放出できると共に安全性を確保できる。
【００３９】
なお、本発明によるイオン発生装置１１付き温風機１０や衛生装置６は、上述した実施形態に限定されるものではなく、本発明の要旨を逸脱しない範囲で適宜の変更や置換等が可能である。以下に、本発明の変形例等について説明するが、上述した実施形態で説明した部品や部材等と同一または同様なものについては同一の符号を用いて説明を省略する。
【００４０】
例えば、上述した実施形態では、図５に示すように第一送風路２２を形成する送風筒体２１の内部にヒータ１６を設置し、並列に設置した第二送風路２３を外れた下流側にイオン発生装置１１を設置した。しかし、イオン発生装置１１の設置位置はヒータ１６の下流側であればよく、例えば第二送風路２３内にイオン電極２６を配設してもよい。
また、図６に示すようにダクトケース１７の吹出し口１８の近傍において、上面に上部ガイド板２９を設け、吹出し口１８に下部ガイド１８ａを形成したが、本発明はこのような構成に限定されない。例えば、上部ガイド板２９及び下部ガイド１８ａに代えて、下部ダクトケース１７ａを吹出し口１８に向けて次第に上を向くように傾斜して形成してもよい。
なお、吹出し口１８から放出される上向きの風はシャッター３０の外側に設置された別のシャッターの開閉角度により放出角度を調整可能であり、例えば下向き等に設定可能である。
【００４１】
また、ダクトケース１７の吹出し口１８の近傍にイオンを含む温風を局部側に向かわせるガイド部２８を設けたが、これに代えてダクトケース１７や吹出し口１８自体を局部側に屈曲または湾曲させて形成してもよい。
また、送風路２０における第一送風路２２及び第二送風路２３において、第二送風路２３は必ずしも末広がりのテーパ状に形成しなくてもよい。例えば、送風筒体２１の第二送風路側の側面２１ａとダクトケース１７の側壁１７ｃは略平行に形成してもよい。要するに、平面視で仕切り壁をなす送風筒体２１の側面２１ａが後端側から前端側に向かって第一送風路２２側に偏った配置になるよう形成することでイオンを分散した副流を主流と合流させることができればよい。
また、第一送風路２２に送風筒体２１を設置しなくてもよく、第二送風路２３との間に側面２１ａ等の仕切り壁を設けて区画してもよい。この仕切り壁は平板状である必要はなく、湾曲板状等任意の形状を採用できる。
また、第一送風路２２は温風がイオン発生装置１１に当たらなければ先細状に形成しなくてもよく、その送風のための形状は任意である。
【符号の説明】
【００４２】
１  水洗式便器
２  便器本体
４  機能部
５  カバー
５ａ  前側カバー部
６  衛生装置
１０  温風機
１１  イオン発生装置
１５  ファン
１６  ヒータ
１７  ダクトケース
１８  吹出し口
１８ａ  下部ガイド
２０  送風路
２１  送風筒体
２２  第一送風路
２３  第二送風路
２６  イオン電極
２７  サーミスタ
２８  ガイド部
２９  上部ガイド板
３３  下部支持部
３４  上部支持部
３５，３６  迂回路
３５Ａ  下部伝達経路
３５Ｂ  上部伝達経路
【図１】
0006712177.tif 000002
【図２】
0006712177.tif 000003
【図３】
0006712177.tif 000004
【図４】
0006712177.tif 000005
【図５】
0006712177.tif 000006
【図６】
0006712177.tif 000007
【図７】
0006712177.tif 000008
【図８】
0006712177.tif 000009
【図９】
0006712177.tif 000010
【図１０】
0006712177.tif 000011